(57)【特許請求の範囲】
【請求項１】
感光体と、
この感光体に対向して配置された転写ユニットを有する転写手段と、
定着ローラと加圧ローラとを有する定着手段と、
転写手段と定着手段との間に配置され、転写手段から定着手段までの用紙搬送経路を形成した搬送ガイド板と
を具えた画像形成装置において、
前記搬送ガイド板は、その基端部が定着手段側の装置の機体に枢支され、その先端部に前記転写ユニットを担持しており、
この搬送ガイド板の下方に手動操作で回動可能な支持アームが設けられ、この支持アームの上端は、前記搬送ガイド板に側方から当接して該搬送ガイド板の揺動位置を規定しており、
用紙の厚さに応じて使用者が支持アームを所定に回動して、該支持アームが搬送ガイド板に当接した位置を変更することによって、搬送ガイド板の揺動位置を変更し、感光体と転写ユニットとの間隙を調節するとともに、定着手段の用紙に対する加圧力を機械的に調節するように構成したことを特徴とする画像形成装置。
【請求項２】
前記搬送ガイド板に、前記支持アームの上端の当接位置を検知する位置検知センサを設け、この位置検知センサの位置検出信号により、転写手段の転写条件と定着手段の定着条件とを制御するようにしたことを特徴とする請求項１に記載の画像形成装置。
【請求項３】
用紙ジャムが発生した場合に、前記支持アームを、使用者が前記調節用のいずれの当接位置からも離れた搬送ガイド板の枢支側の当接位置に接するように回動させて、感光体と、転写手段及び搬送ガイド板との間に大きな空所を発生させ、ジャムした用紙を取出せるようにしたことを特徴とする請求項１又は２に記載の画像形成装置。
【発明の詳細な説明】
【０００１】
【発明の属する技術分野】
この発明は、画像形成装置に関するものである。
【０００２】
【従来の技術】
従来この種の定着装置において、この発明の実施形態と同様に感光体１と、この感光体１に対向して配置された転写ユニット２とを有する転写手段３と、定着ローラ４と加圧ローラ５とを有する定着手段６と、転写ユニット２を担持して転写手段３と定着手段６との間に配置され、定着手段６側の端部が装置の機体に枢支されている搬送ガイド板７とを具えた画像形成装置が提案されている。
【０００３】
そしてこのような画像形成装置によって、画像が形成される用紙としては、52〜157ｇ/ｍ2のいわゆる普通紙がほとんどであって、それより厚手の用紙は特殊 な専用機によって画像形成が行われていた。しかし最近では製本用の表紙や紙ファイル等の、秤量が210〜465ｇ/ｍ2程度で、紙厚ｔ＝0.22〜0.55mm程度の厚手の用紙に手軽に画像を形成する手段として、前記のような画像形成装置を利用しようとする要望が多くなっている。
【０００４】
そこでこのような問題を解消するためのものとして、▲１▼特開昭60-19184号公報及び▲２▼特開平5-313516号公報に開示されたものが提案されている。そして▲１▼のものは用紙の紙厚検知手段によって用紙の紙厚を検知して、その検知信号に基づいて圧力調整手段によって、定着圧力を調整するものであり、▲２▼紙厚検知手段と用紙の電気抵抗を検出する電気抵抗検知手段とを具え、これらからの信号によって、選択された各転写電流値を比較して、演算手段によってそのいずれかによって、転写電流値を決定し、用紙突入ガイドを回動させて用紙突入角度を調整するものである。
【０００５】
【発明が解決しようとする課題】
しかしながらこのような画像形成装置は、前記のような各検知手段と調整機構が必要であって、構造が複雑で高価であるという問題がある。
【０００６】
そこでこの発明の目的は、前記のような従来の画像形成装置のもつ問題を解消し、検知手段と調整機構との構造が簡単であって安価であり、普通紙モードと厚紙モードとの切換え操作が容易な画像形成装置を提供するにある。
【０００７】
【課題を解決するための手段】
この発明は、前記のような目的を達成するために、感光体と、この感光体に対向して配置された転写ユニットを有する転写手段と、定着ローラと加圧ローラとを有する定着手段と、転写手段と定着手段との間に配置され、転写手段から定着手段までの用紙搬送経路を形成した搬送ガイド板とを具えた画像形成装置において、請求項１に記載の発明は、前記搬送ガイド板は、その基端部が定着手段側の装置の機体に枢支され、その先端部に前記転写ユニットを担持しており、この搬送ガイド板の下方に手動操作で回動可能な支持アームが設けられ、この支持アームの上端は、前記搬送ガイド板に側方から当接して該搬送ガイド板の揺動位置を規定しており、用紙の厚さに応じて使用者が支持アームを所定に回動して、該支持アームが搬送ガイド板に当接した位置を変更することによって、搬送ガイド板の揺動位置を変更し、感光体と転写ユニットとの間隙を調節するとともに、定着手段の用紙に対する加圧力を機械的に調節するように構成したことを特徴とするものである。
【０００８】
請求項２に記載の発明は、請求項１に記載の発明において、前記搬送ガイド板に、前記支持アームの上端の当接位置を検知する位置検知センサを設け、この位置検知センサの位置検出信号により、転写手段の転写条件と定着手段の定着条件とを制御するようにしたことを特徴とするものである。
【０００９】
請求項３に記載の発明は、請求項１又は２に記載の発明において、用紙ジャムが発生した場合に、前記支持アームを、使用者が前記調節用のいずれの当接位置からも離れた搬送ガイド板の枢支側の当接位置に接するように回動させて、感光体と、転写手段及び搬送ガイド板との間に大きな空所を発生させ、ジャムした用紙を取出せるようにしたことを特徴とするものである。
【００１０】
【発明の実施の形態】
図面に示すこの発明の実施形態は、感光体１と、この感光体１に対向して配置された転写ユニット２とを有する転写手段３と、定着ローラ４と加圧ローラ５とを有する定着手段６と、転写ユニット２を担持して転写手段３と定着手段６との間に配置され、定着手段６側の端部が装置の図示しない機体に支持軸８で枢支されている搬送ガイド板７と、搬送ガイド板７に当接していてこれを揺動させる支持アーム９が設けられている。
【００１１】
転写ユニット２は、搬送ガイド板７の先端部11に紙面に垂直方向に移動可能に支持されていて、その後部には下方に傾斜した入口ガイド板12が形成されていて、この入口ガイド板12にガイドマイラ13が設けられている。支持アーム９は中間を機体に支持軸14で枢支され、その上端は搬送ガイド板７の下面に設けられた２段凹部16に当接しており、上部には取手17が設けられ、下端には枢軸18によってリンク19の基端が連結されている。そして入口ガイド板12の２段凹部16の前端上部に位置検知センサ15が設けられている。加圧ローラ５はばね20の上端で押圧されており、このばね20の下端は基端が支持軸21で機体に枢支されたブラケット22で支承されており、このブラケット22の下面のカム部23がリンク19の自由端で支承されている。
【００１２】
このようなものにおいて、普通紙モードの際は図１に示すように、支持アーム９の上端は搬送ガイド板７の２段凹部16の支持軸８に近い方の高部16ａに当接し、感光体１とガイドマイラ13との間の間隙δは普通紙26が通過するのに最適な正規の位置となる。このような状態で普通紙26が、通常のこの種の画像形成装置におけると同様にして、給紙ローラ27、レジストローラ28によって間隙δを通って転写手段３に供給されて転写され、ついで定着手段６に供給されて定着されることとなる。
【００１３】
厚紙モードの際は図２に示すように、取手17をもって支持アーム９を時計方向に回動して、支持アーム９の上端を搬送ガイド板７の２段凹部16の支持軸８から遠い方の低部16ｂに当接させ、これによって搬送ガイド板７は下方に揺動して、感光体１とガイドマイラ13との間の間隙δ′は、大きくなって厚紙26′が通過する際の搬送抵抗を低減させることとなる。この際リンク19が左方に押出されて、ブラケット22のカム部23の下方に押入され、ブラケット22を上方に揺動させて、ばね20を押圧して加圧力を増大する。このような状態で厚紙26′が、前記の普通紙26の場合と同様にして、給紙ローラ27、レジストローラ28によって間隙δ′を通って転写手段３に供給されて転写され、ついで定着手段６に供給されて定着されることとなる。
【００１４】
このような厚紙モードの際には、前記のように転写手段３が下方に変位するので、感光体１とコロナワイヤ29との位置関係が変動するので、この変動に対応して転写条件及び定着条件を修正しなければならず、そのために転写手段３における転写電流及び定着手段６における定着温度を調節することとなる。そこで厚紙モードであることを、変位した支持アーム９を位置検知センサ15が検出することによって検知し、この検知信号を図３に示すようにＣＰＵ31に入力し、ＣＰＵ31によって転写手段３及び定着手段６の所定の部位を作動させて転写電流及び定着温度を調節することとなる。
【００１５】
図４にはジャムが発生した場合に用紙を取出す際の状態が示されており、この場合には取手17をもって、支持アーム９を厚紙モードの際とは反対の反時計方向に回動して、支持アーム９の上端を２段凹部16から離間させて本体に当接させ、これによって搬送ガイド板７を下方に大きく揺動させることにより、感光体１と転写手段３及び搬送ガイド板７との間に大きなの空所32を発生させ、この空所32を利用して用紙を取出すこととなる。
【００１６】
【発明の効果】
この発明は上記のようであって、請求項１に記載の発明は、感光体と、この感光体に対向して配置された転写ユニットを有する転写手段と、定着ローラと加圧ローラとを有する定着手段と、転写手段と定着手段との間に配置され、転写手段から定着手段までの用紙搬送経路を形成した搬送ガイド板とを具えた画像形成装置において、請求項１に記載の発明は、前記搬送ガイド板は、その基端部が定着手段側の装置の機体に枢支され、その先端部に前記転写ユニットを担持しており、この搬送ガイド板の下方に手動操作で回動可能な支持アームが設けられ、この支持アームの上端は、前記搬送ガイド板に側方から当接して該搬送ガイド板の揺動位置を規定しており、用紙の厚さに応じて使用者が支持アームを所定に回動して、該支持アームが搬送ガイド板に当接した位置を変更することによって、搬送ガイド板の揺動位置を変更し、感光体と転写ユニットとの間隙を調節するとともに、定着手段の用紙に対する加圧力を機械的に調節するように構成したので、簡単な操作によって用紙の厚さに応じて、感光体と転写ユニットとの間隙を調節して、転写手段へ的確な通紙を行うことができ、正確な転写が実施されるとともに、加圧力を機械的に調節して、的確な定着が実施され、これらの結果、簡単な構成で安価になるという効果がある。
【００１７】
請求項２に記載の発明は、請求項１に記載の発明において、搬送ガイド板に、支持アームの上端の当接位置を検知する位置検知センサを設け、この位置検知センサの位置検出信号により、転写手段の転写条件と定着手段の定着条件とを制御するようにしたので、用紙の種類に応じて、転写手段及び定着手段における転写条件及び定着条件の切換えを、簡単な操作に基づいて容易に行うことができ、それぞれの用紙に的確な転写及び定着を行うことができるという効果がある。
【００１８】
請求項３に記載の発明は、請求項１又は２に記載の発明において、用紙ジャムが発生した場合に、支持アームを、使用者が前記調節用のいずれの当接位置からも離れた搬送ガイド板の枢支側の当接位置に接するように回動させて、感光体と、転写手段及び搬送ガイド板との間に大きな空所を発生させ、ジャムした用紙を取出せるようにしているので、簡単な操作によってジャム用紙の除去作業が容易化され、用紙ジャムの迅速で確実な解消が可能になるという効果がある。
【図面の簡単な説明】
【図１】この発明の実施形態の普通紙モードの際の正面図である。
【図２】同上の厚紙モードの際の正面図である。
【図３】同上の制御回路の概略ブロック図である。
【図４】同上の搬送ガイド板の開口時の正面図である。
【符号の説明】
１  感光体                      ２  転写ユニット
３  転写手段                    ４  定着ローラ
５  加圧ローラ                  ６  定着手段
７  搬送ガイド板                ８  支持軸
９  支持アーム                  11  先端部
12  入口ガイド板                13  ガイドマイラ
14  支持軸                      15  位置検知センサ
16  ２段凹部                    17  取手
18  枢軸                        19  リンク
20  ばね                        21  支持軸
22  ブラケット                  23  カム部
26  普通紙                      26′  厚紙
27  給紙ローラ                  28  レジストローラ
29  コロナワイヤ                31  ＣＰＵ
32  空所
【図１】
0003712305.tif 000002
【図２】
0003712305.tif 000003
【図３】
0003712305.tif 000004
【図４】
0003712305.tif 000005